(57)【要約】      （修正有）【課題】単体でも可愛さのあるデザイン性を有するとともに１つの被装着物に対して複数を装着する場合においても可愛さのある豊富なデザインバリエーションを創出することができる缶バッジを提供する。【解決手段】缶バッジ１００は、表面板１０１と裏面板とで構成されるバッジ本体１０４を備える。表面板には、使用者が好む図柄１０２が形成されている。裏面板には、バッジ本体を被装着物に取り付けるための留め具が設けられている。バッジ本体は、外周部の一部が１つの凸状の円弧で構成された主円弧部１０６と、主円弧部とは反対側の外周部に向かって主円弧部から幅が狭くなるように形成された先鋭部１０７とで構成され全体として雫型に形成されている。先鋭部には、主円弧部の円弧よりも小径の凸状の円弧状に形成された先端部１０８が形成されている。【選択図】図１
0003221237.tif 000002
【実用新案登録請求の範囲】
【請求項１】
互いに対向配置された２つの金属板の外周部がカシメ加工によって一体化したバッジ本体における一方の面を構成する表面板に図柄が形成されるとともに他方の面を構成する裏面板に留め具が設けられた缶バッジであって、
前記バッジ本体は、
正面視で外周部における一部が１つの凸状の円弧形状に形成された主円弧部と、
正面視で前記主円弧部とは反対側の外周部に向かって前記主円弧部から幅が連続的に狭くなるように形成された先鋭部とで構成されて前記バッジ本体が平面視で全体として雫型に形成されていることを特徴とする缶バッジ。
【請求項２】
請求項１に記載した缶バッジにおいて、
前記先鋭部は、
先端部が前記主円弧部よりも小径の凸状の円弧形状に形成されていることを特徴とする缶バッジ。
【請求項３】
請求項２に記載した缶バッジにおいて、
前記先鋭部は、
前記先端部を形成する円弧で構成される仮想円である先端部仮想円が前記主円弧部を形成する円弧で構成される仮想円である主円弧部仮想円の１／２以下の大きさに形成されており、
前記バッジ本体部は、
前記主円弧部と前記先鋭部とが前記主円弧部仮想円と前記先端部仮想円とが互いに一部同士が重なる位置関係に配置されて形成されていることを特徴とする缶バッジ。
【請求項４】
請求項１ないし請求項３のうちのいずれか１つに記載した缶バッジにおいて、
前記留め具は、
前記主円弧部および前記先鋭部を貫く前記バッジ本体の中心線に対して直交する向きに延びる安全ピンで構成されていることを特徴とする缶バッジ。
【請求項５】
請求項１ないし請求項４のうちのいずれか１つに記載した缶バッジにおいて、
前記バッジ本体は、
前記表面板の中心部分が外周部に対して凸状の円弧状に盛り上がって形成されていることを特徴とする缶バッジ。
【考案の詳細な説明】
【技術分野】
【０００１】
本考案は、衣服、帽子または鞄に着脱自在に取り付けられる缶バッジに関する。
【背景技術】
【０００２】
従来から、衣服、帽子または鞄に着脱自在に取り付けられる缶バッジがある。例えば、下記特許文献１には、平面視で円形に形成された缶バッジが開示されている。
【先行技術文献】
【特許文献】
【０００３】
【特許文献１】特開２０１９−５４１４号公報
【０００４】
しかしながら、上記特許文献１に記載された缶バッジにおいては、平面視で円形に形成されているため、可愛さのあるデザインでないとともに缶バッジを衣服などの被装着物に対してどのような向きで装着しても円形のままで変化がなく装着の向きの変化を楽しむことができない。また、缶バッジは、１つの被装着物に対して複数の缶バッジが装着されることがあるが、このような場合に従来の円形の缶バッジでは多数の缶バッジの配置や向きを変化させても単調な装飾しかできず配置や向きの変化による意外性のある装飾を楽しむことができないという問題があった。
【考案の概要】
【０００５】
本考案は上記問題に対処するためなされたもので、その目的は、単体でも可愛さのあるデザイン性を有するとともに１つの被装着物に対して複数を装着する場合においても可愛さのある豊富なデザインバリエーションを創出することができる缶バッジを提供することにある。
【０００６】
上記目的を達成するため、本考案の特徴は、互いに対向配置された２つの金属板の外周部がカシメ加工によって一体化したバッジ本体における一方の面を構成する表面板に図柄が形成されるとともに他方の面を構成する裏面板に留め具が設けられた缶バッジであって、バッジ本体は、正面視で外周部における一部が１つの凸状の円弧形状に形成された主円弧部と、正面視で主円弧部とは反対側の外周部に向かって主円弧部から幅が連続的に狭くなるように形成された先鋭部とで構成されてバッジ本体が平面視で全体として雫型に形成されていることにある。
【０００７】
このように構成した本考案の特徴によれば、缶バッジは、バッジ本体が平面視で全体として雫型に形成されているため、単体でも可愛さのあるデザイン性を有するとともに１つの被装着物に対して複数を装着する場合においても可愛さや楽しさのある豊富なデザインバリエーションを創出することができる。
【０００８】
また、本考案の他の特徴は、前記缶バッジにおいて、先鋭部は、先端部が主円弧部よりも小径の凸状の円弧形状に形成されていることにある。
【０００９】
このように構成した本考案の他の特徴によれば、缶バッジは、先鋭部が主円弧部よりも小径の凸状の円弧形状に形成されて全体が丸みを持って形成されているため、単体でも可愛さのあるデザイン性を有するとともに１つの被装着物に対して複数を装着する場合においても可愛さを強調したデザインバリエーションを創出することができる。
【００１０】
また、本考案の他の特徴は、前記缶バッジにおいて、先鋭部は、先端部を形成する円弧で構成される仮想円である先端部仮想円が主円弧部を形成する円弧で構成される仮想円である主円弧部仮想円の１／２以下の大きさに形成されており、バッジ本体部は、主円弧部と先鋭部とが主円弧部仮想円と先端部仮想円とが互いに一部同士が重なる位置関係に配置されて形成されていることにある。
【００１１】
このように構成した本考案の他の特徴によれば、缶バッジは、先鋭部が先端部を形成する円弧で構成される仮想円である先端部仮想円が主円弧部を形成する円弧で構成される仮想円である主円弧部仮想円の１／２以下の大きさに形成されるとともに、バッジ本体部が主円弧部と先鋭部とが主円弧部仮想円と先端部仮想円とが互いに一部同士が重なる位置関係に配置されて形成されている。これにより、缶バッジは、全体がより丸みを持った形状に形成されているため、単体でも可愛さのあるデザイン性を有するとともに１つの被装着物に対して複数を装着する場合においても可愛さを強調したデザインバリエーションを創出することができる。
【００１２】
また、本考案の他の特徴は、前記缶バッジにおいて、留め具は、主円弧部および先鋭部を貫くバッジ本体の中心線に対して直交する向きに延びる安全ピンで構成されていることにある。
【００１３】
このように構成した本考案の他の特徴によれば、缶バッジは、留め具が主円弧部および先鋭部を貫くバッジ本体の中心線に対して直交する向きに延びる安全ピンで構成されているため、バッジ本体を雫型または逆雫型に安定した状態で被装着物に装着することができる。
【００１４】
また、本考案の他の特徴は、前記缶バッジにおいて、バッジ本体は、表面板の中心部分が外周部に対して凸状の円弧状に盛り上がって形成されていることにある。
【００１５】
このように構成した本考案の他の特徴によれば、缶バッジは、バッジ本体が表面板の中心部分が外周部に対して凸状の円弧状に盛り上がって形成されているため、立体的に構成することができる。
【図面の簡単な説明】
【００１６】
【図１】本考案の一実施形態に係る缶バッジの外観構成の概略を示す正面図である。
【図２】図１に示す缶バッジの裏面側の外観構成の概略を示す背面図である。
【図３】図１に示す缶バッジの外観構成の概略を示す底面図である。
【図４】図１に示す缶バッジにおける主円弧部仮想円および先端部仮想円を示す拡大正面図である。
【図５】図１に示す缶バッジを上下２段に一直線状に配置して被装着物上に取り付ける取付例を示した説明図である。
【図６】図１に示す缶バッジをジグザグ線状または波線状に配置して被装着物上に取り付ける取付例を示した説明図である。
【図７】図１に示す缶バッジを凸状の円弧状に配置して被装着物上に取り付ける取付例を示した説明図である。
【図８】図１に示す缶バッジを凹状の円弧状に配置して被装着物上に取り付ける取付例を示した説明図である。
【図９】図１に示す缶バッジにおける先端部側を内側にした円環状に配置して被装着物上に取り付ける取付例を示した説明図である。
【図１０】図１に示す缶バッジにおける主円弧部を外側にした円環状に配置して被装着物上に取り付ける取付例を示した説明図である。
【図１１】図１に示す３つの缶バッジを先端部側を内側に配置して被装着物上に取り付ける取付例を示した説明図である。
【図１２】図１に示す缶バッジの向きを交互に代えながら円環状に配置して被装着物上に取り付ける取付例を示した説明図である。
【図１３】図１に示す缶バッジにおける図柄の天地を逆にした缶バッジの外観構成の概略を示す正面図である。
【考案を実施するための形態】
【００１７】
以下、本考案に係る缶バッジの一実施形態について図面を参照しながら説明する。図１は、本考案に係る缶バッジ１００の外観構成の概略を示す正面図である。また、図２は、図１に示す缶バッジ１００の裏面側の外観構成の概略を示す背面図である。また、図３は、図１に示す缶バッジ１００の外観構成の概略を示す底面図である。
【００１８】
この缶バッジ１００は、衣服、帽子または鞄などの被装着物（図示せず）に対して着脱自在に装着されて被装着物を装飾するバッジである。
【００１９】
（缶バッジ１００の構成）
缶バッジ１００は、表面板１０１と裏面板１０３とで構成されたバッジ本体１０４を備えている。表面板１０１は、缶バッジ１００の表側を構成する部品であり、アルミニウム材、ステンレス材またはブリキ材などの金属製の板材で構成されている。この表面板１０１の表面には、缶バッジ１００の使用者が好む種々の図柄１０２が形成されている。本実施形態においては、図柄１０２は、ネコのイラストが印刷されている。
【００２０】
この表面板１０１は、正面視で後述する雫型の形状にプレス加工である打ち抜き加工によって成形される。この場合、表面板１０１は、中心部が外周部に対して凸状の円弧状に盛り上がった形状に成形される。そして、表面板１０１は、外周部が缶バッジ１００の裏面側に折り曲げられて裏面板１０３に接合されている。
【００２１】
裏面板１０３は、缶バッジ１００の裏側を構成する部品であり、アルミニウム材、ステンレス材またはブリキ材などの金属製の板材で構成されている。この裏面板１０３は、平面状に形成されるとともに外縁部が凸状に折り曲げられて表面板１０１の外縁部に接続されている。すなわち、表面板１０１と裏面板１０３とは、互いの外縁部がカシメ加工（プレス加工）によって一体的に連結されてバッジ本体１０４を構成している。なお、裏面板１０３は、表面板１０１と同様に、正面視で雫型の形状にプレス加工である打ち抜き加工によって成形される。
【００２２】
この裏面板１０３には、留め具１０５が設けられている。留め具１０５は、缶バッジ１００を被装着物に着脱自在に取り付けるための部品である。本実施形態においては、留め具１０５は、安全ピンで構成されている。この留め具１０５は、バッジ本体１０４の長手方向に直交する方向に延びて設けられている。本実施形態においては、留め具１０５は、後述する主円弧部１０６および先鋭部１０７をそれぞれ貫くバッジ本体１０４の中心線Ｃに対して直交する向きに延びるように設けられている。
【００２３】
このバッジ本体１０４は、正面視で主円弧部１０６と先鋭部１０７とをそれぞれ有した雫型に形成されている。主円弧部１０６は、バッジ本体１０４の外周部の一部を１つの凸状の円弧で構成されている部分である。
【００２４】
先鋭部１０７は、バッジ本体１０４における前記主円弧部１０６とは反対側の外周部に向かって主円弧部１０６から幅が狭くなるように形成された部分である。この場合、先鋭部１０７の先端部１０８は、主円弧部１０６の円弧よりも小径の凸状の円弧状に形成されている。本実施形態においては、先端部１０８は、図４に示すように、主円弧部１０６の円弧を構成する仮想円である主円弧部仮想円１０６ａの１／２以下の大きさの仮想円である先端部仮想円１０８ａを構成する円弧で構成されている。
【００２５】
これらの主円弧部１０６と先鋭部１０７の先端部１０８とは、主円弧部仮想円１０６ａと先端部仮想円１０８ａとが互いに一部同士が重なり合う位置関係に配置されて形成されている。この場合、先鋭部１０７における主円弧部１０６と先端部１０８とを繋ぐ部分である連結部１０９は、凸状に張り出す円弧状に形成されている。これにより、バッジ本体１０４は、先鋭部１０７側を上側とした場合には、丸みを帯びた可愛らしい形状の雫型に形成されている。なお、この連結部１０９は、直線状に形成することもできる。
【００２６】
（缶バッジ１００の作動）
次に、上記のように構成した缶バッジ１００の作動について説明する。まず、缶バッジ１００の使用者は、缶バッジ１００を一つまたは複数用意する。次に、使用者は、缶バッジ１００を被装着物に装着する。具体的には、使用者は、缶バッジ１００の留め具１０５を被装着物に刺して取り付ける。
【００２７】
この場合、使用者は、缶バッジ１００を図柄１０２が正規の向きとなる向きで取り付けることができるほか、図柄１０２が傾斜する向き、更には図柄１０２が逆さまの向きなど自由な向きで被装着物に取り付けることができる。このような場合、缶バッジ１００は、正面で雫型に形成されているため、被装着物上にどのような向きで取り付けられた場合であっても可愛く取り付けることができるとともに可愛さの変化を楽しみながら取り付けることができる。
【００２８】
また、使用者は、被装着物上に複数の缶バッジ１００を取り付ける場合には、図５および図６にそれぞれ示すように、各缶バッジ１００を一直線状またはジグザグ線状などの直線状に配置して取り付けることができる。また、使用者は、図７および図８にそれぞれ示すように、円弧状または波線状（図６参照）などの曲線状に配置して取り付けることができる。また、使用者は、被装着物上にランダムに配置して取り付けることもできる。
【００２９】
また、使用者は、図９および図１０にそれぞれ示すように、複数の缶バッジ１００を円環状に配置することもできる。この場合、使用者は、図９に示すように、各缶バッジ１００における先端部１０８側を内側に向く向きで配置することで全体として花のようなデザインを形成することができるほか、図１０に示すように、各缶バッジ１００における先端部１０８側を外側に向く向きで配置することで全体として太陽のようなデザインを形成することもできる。
【００３０】
また、これらの場合、図１１に示すように、缶バッジ１００の数を減らす（または増やす）ことで異なる印象のデザインを創出することもできる。また、使用者は、これらの場合、図１２に示すように、複数の缶バッジ１００を同じ向きで配置してもよいが、互いに異なる向きで配置することもできる。
【００３１】
すなわち、使用者は、缶バッジ１００を被装着物上の自由な位置に自由な向きで配置して取り付けることができる。この場合においても、缶バッジ１００は、正面で雫型に形成されているため、被装着物上にどのような向きで取り付けられた場合であっても可愛く取り付けるができるとともに可愛さの変化を楽しみながら取り付けることができるほか、複数の缶バッジ１００によって全体として種々の図柄を創出することができる。
【００３２】
また、使用者は、被装着物に対する缶バッジ１００の取り付け位置および向きを自由に変更することができる。そして、使用者は、缶バッジ１００の使用を中断する際には、留め具１０５を被装着物から抜き去ることで取り外すことができる。
【００３３】
上記作動説明からも理解できるように、上記実施形態によれば、缶バッジ１００は、バッジ本体１０４が平面視で全体として雫型に形成されているため、単体でも可愛さのあるデザイン性を有するとともに１つの被装着物に対して複数を装着する場合においても可愛さや楽しさのある豊富なデザインバリエーションを創出することができる。
【００３４】
さらに、本考案の実施にあたっては、上記実施形態に限定されるものではなく、本考案の目的を逸脱しない限りにおいて種々の変更が可能である。なお、下記各変形例の説明に使用する図面においては、上記実施形態と同様の構成部分または対応する構成部分については同じ符号を付して、その説明を省略する。
【００３５】
例えば、上記実施形態においては、図柄１０２は、主円弧部１０６側が図柄１０２の下方側となるとともに先端部１０８側が図柄１０２の上方側になるように形成した。しかし、図柄１０２の形成する向きは、上記実施形態に限定されるものではなく、表面板１０１上に自由な向きで形成することができる。したがって、図柄１０２は、例えば、図１３に示すように、先鋭部１０７側が図柄１０２の下方側となるとともに主円弧部１０６側が図柄１０２の上方側になるように形成することもできる。
【００３６】
また、上記実施形態においては、図柄１０２は、ネコのイラストで構成した。しかし、図柄１０２は、ネコ以外の動物、植物、キャラクタ、建造物、構造物、美術品および食品のいずれかの外形を模した形状に形成されてもよい。
【００３７】
この場合、動物としては、例えば、愛玩動物（イヌ、小鳥、ネズミなど）、干支、各種野生動物（ライオン、カバ、キリン、コアラ、ラッコ、イルカ、クジラ、カメ、ヘビ、ワニ、カメレオンなど）、魚類（サメ、クマノミ、イカ、タコなど）、貝類（帆立貝、サザエなど）、昆虫（カブトムシ、クワガタムシ、カマキリ、セミなど）および龍や鳳凰などの架空の動物などが考えられる。植物としては、花（ヒマワリ、チューリップなど）や木（ヤシ、竹、スギなど）などが考えられる。キャラクタとしては、アニメ、映画、ＴＶドラマ、童話、昔話などの主人公や登場人物、および擬人化した動植物（例えば、擬人化したネズミなど）などが考えられる。建造物としては、橋、鉄塔、ビルおよび寺社仏閣などが考えられる。構造物としては、車両（二輪車、四輪乗用車、消防車などの各種作業車など）、列車、船舶および飛行機などが考えられる。美術品としては、仏像およびモニュメントなどが考えられる。食品としては、ハンバーガー、フランクフルトソーセージおよびサンドイッチなどが考えられる。
【００３８】
また、上記実施形態においては、先鋭部１０７の先端部１０８を円弧状に形成した。しかし、先端部１０８は、鋭角などの尖った形状に形成することもできる。
【００３９】
また、上記実施形態においては、主円弧部１０６および先鋭部１０７は、先端部１０８が主円弧部仮想円１０６ａの１／２以下の大きさの先端部仮想円１０８ａを構成する円弧で構成されているとともに、主円弧部１０６と先端部１０８とが主円弧部仮想円１０６ａと先端部仮想円１０８ａとが互いに一部同士が重なり合う位置関係になるように配置されている。しかし、先端部１０８を構成する円弧は、主円弧部仮想円１０６ａよりも小径に形成されていればよい。また、主円弧部１０６と先鋭部１０７の先端部１０８とは、主円弧部仮想円１０６ａと先端部仮想円１０８ａとが互いに重なり合わない位置関係に配置されていてもよい。
【００４０】
また、上記実施形態においては、留め具１０５は、安全ピンで構成した。しかし、留め具１０５は、バッジ本体１０４を被装着物上に着脱自在に取り付けることができればよく、安全ピン以外で構成、例えば、ピンズまたは面ファスナで構成することもできる。
【００４１】
また、上記実施形態においては、留め具１０５を構成する安全ピンは、主円弧部１０６と先鋭部を貫く中心線Ｃに対して直交する向きで配置した。しかし、留め具１０５を構成する安全ピンは、前記中心線Ｃに対して交わる向きまたは平行な向きで配置することもできる。
【００４２】
また、上記実施形態においては、バッジ本体１０４は、表面板１０１の中心部分が凸状の円弧状に盛り上がる形状に形成されている。これにより、缶バッジ１００は、図柄１０２に立体感を与えることができる。しかし、バッジ本体１０４は、表面板１０１の中心部分が凹状の円弧状に凹んだ形状に形成することができるほか、表面板１０１を平坦なフラット形状に形成することもできる。
【符号の説明】
【００４３】
Ｃ…バッジ本体の長手方向の中心線、
１００…缶バッジ、１０１…表面板、１０２…図柄、１０３…裏面板、１０４…バッジ本体、１０５…留め具、１０６…主円弧部、１０６ａ…主円弧部仮想円、１０７…先鋭部、１０８…先端部、１０８ａ…先端部仮想円、１０９…連結部。
【図１】
0003221237.tif 000003
【図２】
0003221237.tif 000004
【図３】
0003221237.tif 000005
【図４】
0003221237.tif 000006
【図５】
0003221237.tif 000007
【図６】
0003221237.tif 000008
【図７】
0003221237.tif 000009
【図８】
0003221237.tif 000010
【図９】
0003221237.tif 000011
【図１０】
0003221237.tif 000012
【図１１】
0003221237.tif 000013
【図１２】
0003221237.tif 000014
【図１３】
0003221237.tif 000015